(57)【要約】      （修正有）【課題】購入時のコスト並びに収納スペースを節減し、同時にゴルフ愛好者が試合の際に随時移動に便利なようにする。【解決手段】チューブ装置、バッグ本体、キャリ−バーユニット及びキャスターユニットを含み、チューブ装置はバッグ本体内に据え付け各種異なるゴルフクラブを収納し、キャリ−バーユニット及びキャスターユニットはそれぞれチューブ装置に接続し、またそれぞれバッグ本体の外部に突出して収納することもでき、前記キャリ−バーユニット及びキャスターユニットがゴルフクラブの運搬及び収納に便利な効果を果たす。【選択図】図１
0003136933.tif 000002
【実用新案登録請求の範囲】
【請求項１】
ゴルフクラブを収納するためのチューブ装置と、
上端に開口部を有し、チューブ装置の外部を取り巻くバッグ本体と、
チューブ装置に固定してバッグ本体外部で上下に伸縮することができるキャリーバーユニットと、
チューブ装置に枢設してキャスターに接続し、バッグ本体外部で折畳んだり拡げたりできると共に、拡げることで運搬効果を果たすキャスターユニットを含むことを特徴とするキャスター付ゴルフバッグ。
【請求項２】
チューブ装置にはさらに上部リングと下部リング及び複数のパイプを含み、前記上部リングには複数のホールを設け、前記下部リング上の上部リングに相対したホールには段差台座を嵌め込み、その上に複数の高さが異なる突起ピンを取り付け、前記複数のパイプは上部リングと下部リングの間に設置し、それぞれ各ホールと各突起ピンに対応し、各種の規格の異なるゴルフクラブをチューブ装置に収納することができることを特徴とする請求項1に記載するキャスター付ゴルフバッグ。
【請求項３】
チューブ装置にはさらにパネルを取り付け、上部リング上方に嵌め込み、且つホールと対応する貫通孔を設けてゴルフクラブ番号を表示することを特徴とする請求項２に記載するキャスター付ゴルフバッグ。
【請求項４】
バッグ本体側面外部には少なくとも一つのキャスターカバーを取り付けることを特徴とする請求項1に記載するキャスター付ゴルフバッグ。
【請求項５】
キャリーバーユニットはさらにキャリーバー固定台座、キャリーバーパイプ及びキャリーバーを含み、前記キャリーバー固定台座は上部リングの外側に固定し、且つキャリーバー固定台座上にガイド孔を設け、キャリーバーパイプは中空のパイプであってキャリーバー固定台座下方に取り付け、前記ガイド孔と同一中心にあり、前記キャリーバーはガイド孔を打ち貫いて前記キャリーバーパイプ中に収めて取り付け、キャリーバーパイプに沿って上下にシフトできることを特徴とする請求項1に記載するキャスター付ゴルフバッグ。
【請求項６】
キャスターユニットはさらに固定リング、少なくとも一本のキャスターフレーム及び少なくとも一つのキャスターを含み、前記固定リングはチューブ装置に固定して上部リングと下部リングの間に取り付け、前記キャスターフレームの一端は固定リングに枢設して、キャスターフレームを固定リング上でスライドさせられるようにし、他端はキャスターシャフトに接続することでキャスターに接続し、キャスターをキャスターシャフトを中心として回転させることを特徴とする請求項1に記載するキャスター付ゴルフバッグ。
【請求項７】
バッグ本体はさらにフードを含み、バッグ本体上方の開口部箇所に嵌め込むことを特徴とする請求項1に記載するキャスター付ゴルフバッグ。
【請求項８】
バッグ本体下方にはさらにロールと固定ブロックを取り付けることを特徴とする請求項1に記載するキャスター付ゴルフバッグ。
【請求項９】
キャスター付ゴルフバッグはさらにゴルフクラブヘッドカバーを含み、前記ゴルフクラブヘッドカバーは複数のカバー本体を串刺し状にして繋ぐことを特徴とする請求項1に記載するキャスター付ゴルフバッグ。
【考案の詳細な説明】
【技術分野】
【０００１】
本考案はキャスター付ゴルフバッグの設計に関し、特にゴルフバッグ、バッグチューブ装置並びにキャスターを一体統合し、効率的にスペースを節約し、さらに収納や運搬に便利なキャスター付ゴルフバッグを提供することに関する。
【背景技術】
【０００２】
ゴルフは今や世界的に流行しているスポーツの一つであるが、ゴルフをする際、往々にして数本の異なるゴルフクラブを携帯する必要があるため、異なるゴルフクラブの携帯に便利なようにゴルフバッグを購入してこれに収納している。
【０００３】
然しながら、ゴルフクラブが満載されたゴルフバッグはずっしりと重たく、ゴルフ愛好者にとり１８ホールを回るゴルフ試合で常にゴルフバッグを持って回らねばならず、これは骨折りなことである。そこで随時ゴルフバッグを運搬するのに便利なように、こうしたゴルフ愛好者はよくゴルフバッグカートを購入してゴルフバッグをその上に置いて、プレー中にゴルフクラブを満載したゴルフバッグを運んでいる。
【０００４】
従って、ゴルフ愛好者にとり、同時にゴルフバッグとゴルフバッグカートを購入するとその費用は間違いなく嵩み、それと同時にゴルフバッグとゴルフバッグカートとを分けて置かなければならないので、収納時に不便であると共にかなり広いスペースを占領してしまうこととなる。また、従来のゴルフバッグは各ゴルフクラブをバッグに詰めるだけなので、クラブヘッドが互いにぶつかり合うだけでなく、クラブをチョイスする際にも時間をロスしてしまうこととなる。
【０００５】
そこで上記の問題を改善することが本考案が解決しようとする課題である。
【考案の開示】
【考案が解決しようとする課題】
【０００６】
本考案人は上記の様々な課題を考慮して、長年に渡り当該製品の研究、設計、製造等に従事して豊富な経験を積み、膨大な心血を注ぎエネルギーを費やして研究開発に積極的に身を投じ、ついに本考案である「キャスター付ゴルフバッグ」を成功裏に開発したのである。
【０００７】
本考案の主たる目的はゴルフバッグ、ゴルフバッグチューブ装置及びゴルフバッグカートを一体統合し、ゴルフ愛好者の購入時のコスト並びに収納スペースを節減し、同時にゴルフ愛好者が試合の際に随時移動に便利なようにすることにある。
【０００８】
本考案のもう一つの目的はゴルフクラブを一本ずつ分けてぶつからないようにして識別し易くすることにある。
【課題を解決するための手段】
【０００９】
上記の目的を達成するために、本考案のキャスター付ゴルフバッグはチューブ装置、バッグ本体、キャリーバーユニットおよびキャスターユニットを含み、前記チューブ装置はバッグ本体内部に装着して各種異なるゴルフクラブを収納し、且つ一本ずつ分けてクラブヘッドがぶつからないようにし、キャリーバーユニットとキャスターユニットはそれぞれチューブ装置に連結し、バッグ内に分けて収納したり、外部に突出させることもでき、前記キャリーバーユニットとキャスターユニットによりゴルフクラブの運搬および収納の利便性という効果を果たす。
【００１０】
キャリーバーユニットはさらにキャリーバー固定台座、キャリーバーパイプおよびキャリーバーを含み、キャリーバー固定台座はチューブ装置に固定し、キャリーバーパイプはキャリーバー固定台座下方に取り付け、キャリーバーはキャリーバー固定台座上方に取り付けて、キャリーバーをキャリーバーパイプ内にガイドして上下移動の動作を行い、さらに収納及び伸長効果を果たす。
【００１１】
前記キャスターユニットはさらに固定リング、少なくとも一つのキャスターフレーム及び少なくともキャスターを含み、前記固定リングはチューブ装置に嵌め込み、キャスターフレームの一端は固定リングに枢接し、他端はキャスターに接続して、前記キャスターは固定リング上に取り付けて、さらに伸長させたり収納させたりする効果を果たすことができると同時に、キャスター付ゴルフバッグ全体が移動し易いという効果をも果たすことができる。
【００１２】
このほか、前記バッグ本体下方に複数のロール及び複数の位置決めブロックを設置し、キャスター付ゴルフバッグ全体をプレーの最中にロールでもって補助する効果を果たす。また、キャスター付ゴルフバッグを立てようとする際、位置決めブロックで位置決め効果を果たして、前記キャスター付ゴルフバッグが滑ったり傾いたりしないようにすることができる。
【考案を実施するための最良の形態】
【００１３】
図面を添付した実施例により、本考案の構造的特徴及びその他の作用、目的等についての詳細な説明は下記の通りである。
【実施例】
【００１４】
図１及び図２で示すのは本考案「キャスター付ゴルフバッグ」の立体概略図及びその分解概略図であるが、前記キャスター付ゴルフバッグは主としてチューブ装置１０、バッグ本体２０、キャリーバーユニット３０及びキャスターユニット４０を含む。
【００１５】
前記チューブ装置１０は上部リング１１、下部リング１２、複数のパイプ１３及びパネル１４を含み、前記上部リング１１には複数のホール１１１を設け、前記下部リング１２上の上部リング１１に相対するホールに段差台座１２１を嵌め込み、その上に複数の高さが異なる突起ピン１２２を取り付け、複数のパイプ１３は上部リング１１及び下部リング１２の間に設け、それぞれ各ホール１１１及び高さが各々異なる突起ピン１２２に対応させ、またパネル１４は上部リング１１上方に設置し、ホール１１１に対応する貫通孔１４１を設けて各種の異なる規格のゴルフクラブをチューブ装置１０の中にクラブをそれぞれ離してぶつからないように収めることができ、パネル１４上の貫通孔１４１周辺に各ゴルフクラブのナンバーを表示して識別し易いようにすることができる。
【００１６】
前記バッグ本体２０はチューブ装置１０の外部周囲を取り巻き、上端には開口部２１を設け、チューブ装置１０のパネル１４は前記開口部２１箇所に取り付けることができ、且つバッグ本体２０側面外部には少なくともキャスター収納袋２２を設け、本実施例では左右対称のキャスター収納袋２２を取り付け、またバッグ本体の下方側面には伸び縮みする支持台座２３を設け、底部には複数のロール２４及び複数の固定ブロック２５を設ける。このほか、前記バッグ本体２０上方にフード２６を取り付け、前記バッグ本体上方に嵌め込み、チューブ装置１０に入れたゴルフクラブを保護し、またフード２６底部周辺には複数の固定バンド２７を設け、フード２６をバッグ本体２０に固定し、運搬中にフード２６が脱落しないようにする。
【００１７】
前記キャリーバーユニット３０はキャリーバー固定台座３１、キャリーバーパイプ３２及びキャリーバー３３を含み、キャリーバー固定台座３１は上部リング１１の外側に固定し、且つキャリーバー固定台座３１上にガイド孔３１１を設ける。キャリーバーパイプ３２は中空パイプで、キャリーバー固定台座３１下方に取り付けて前記ガイド孔３１１に嵌め込み、前記キャリーバー３３はガイド孔３１１に通して前記キャリーバーパイプ３２の中に収めると、キャリーバーパイプ３２に沿って上下に移動動作ができ、キャリーバー固定台座３１及びキャリーバーパイプ３２はバッグ本体２０内部に収納し、キャリーバー３３はバッグ本体２０の外部に突出させる。
【００１８】
前記キャスターユニット４０は、固定リング４１、少なくとも一つのキャスターフレーム４２及び少なくとも一つのキャスター４３を含み、本実施例では二つのキャスターフレーム４２及び二つのキャスター４３を取り付けており、前記固定リング４１はチューブ装置１０に固定して上部リング１１と下部リング１２の間に設け、前記キャスターフレーム４２は固定リング４１に枢設し、キャスターフレーム４２を固定リング上でスライドさせ、他端はキャスターシャフト４２１に接続してキャスター４３に装着し、キャスター４３をキャスターシャフト４２を中心にして回転させることができる。また前記キャスター４３はスライドさせてキャスターシャフト４２１から取り外すこともでき、前記キャスター４３をバッグ本体左右両側のキャスター収納袋２２の中に装着する。図３及び図４で示すのは本考案のチューブ装置、キャリーバーユニット及びキャスターユニットの概略図である。図で示すように、前記キャリーバーユニット３０は上部リング１１の片側に設置し、キャリーバー固定台座３１は前記上部リング１１の片側に設け、キャリーバーパイプ３２の一端はキャリーバー固定台座３１下方に設置し、他端はキャスターユニット４０の固定リング４１上方に固定し、キャスターユニット４０のキャスターフレーム４２の一端は固定リング４１に枢設し、他端はキャスターシャフト４２１によりキャスター４３に接続して前記キャスターフレーム４２を固定リング４１上で作動させることができ、さらに折り畳んだり拡げたりする効果を果たす。
【００１９】
前記キャスターユニット４０の固定リング４１はチューブ装置１０の上部リング１１と下部リング１２の間に取り付けるため、前記固定リング４１はさらに上部リング１１と下部リング１２の間の数本のパイプ１３を固定させて、各パイプ１３の間がぐらついたりずれたりしないようにすることができ、確実に各パイプ１３間の位置を決める。
【００２０】
図５と図６で示すのは本考案のキャスター付ゴルフバッグを応用した際の概略図である。本考案のキャスター付ゴルフバッグは主にゴルフバッグ、ゴルフバッグチューブ装置及びゴルフバッグカートを一体統合したものであるため、使用時にキャスターフレーム４２をバッグ本体内部から引き出して、キャスター４３をキャスター収納袋２２から取り外して、キャスター４３をキャスターフレーム４２下方のキャスターシャフト４２１に装着し、前記キャスター４３及びバッグ本体２０下方のロール２４でもって運搬効果を果たすと共に、キャリーバー３３をバッグ本体２０上方から引き出して、キャリーバー３３、キャスター４３及びロール２４を組合わせることで速やかな運搬効果を果たすことができる。バッグ本体２０下方は支持台座２３でバッグ本体２０を支えることができ、支持台座２３と二つのキャスター４３でもって三点支持効果が図られ、キャスター付ゴルフバッグ全体に適度な角度の傾斜をつけることができ、ゴルフ愛好者は素早くゴルフクラブを手に取ったり収納したりすることができると共に、パネル上の標示によってクラブを取り違えたり置く位置を間違えたりしないようにすることができる。
【００２１】
これに対し、使用後に収納しようとする際に、キャリーバー２３を下向けに押し返してキャスター４３をキャスターシャフト４２１から取り外し、キャスター４３をキャスター収納袋２２に収納して、最後にキャスターフレーム４２をバッグ本体２０内部に収納すると、キャスター付ゴルフバッグの収納が完了し、前記キャスター付ゴルフバッグを図１で示すような直立方式にして片付けるのに便利な効果を果たすと共に、バッグ本体下方の複数の固定ブロック２５でもってバッグ本体２０を支え、さらにバッグ本体２０を安定させて地面に直立させることができる。
【００２２】
前記キャスター付ゴルフバッグを運搬中に前記フード２６で前記バッグ本体２０の上方に嵌め込み、バッグ本体２０の開口部２１の箇所に相対して、各種の異なったゴルフクラブを本考案のキャスター付ゴルフバッグ内に装着すると、前記フード２６をバッグ本体２０の開口部２１に相対する上方に嵌め込むことができ、さらにクラブヘッドを保護する効果が図れる。また前記フード２６は固定バンド２７でバッグ本体２０上方に係合させて、フード２６が脱落するのを防止する。また本実施例中の固定バンド２７は粘着バンドで実施例としているが、当然ながらボタンなどの幾種もの方法で実施することもできる。
【００２３】
このほか、図７で示すのは本考案のキャスター付ゴルフバッグ運搬中に各クラブ同士がぶつからないようにするためのもので、従って本考案ではさらにゴルフクラブヘッドカバー５０を含み、前記ゴルフクラブヘッドカバー５０は複数のヘッドカバー本体５１を串刺し状に繋げ、前記ゴルフクラブヘッドカバー５０の両端は開放端とし、各ヘッドカバー本体５１をそれぞれクラブヘッド上に被せると、両端をきつく引っ張ることができ、クラブヘッドを固定することでぐらつかずにクラブヘッドを保護する効果が図れる。
【００２４】
上記の本考案「キャスター付ゴルフバッグ」の設計は、新機軸を打ち出し且つ進歩的であり、技術的手段の運用面でも斬新的であることは間違いなく、またその効果と設計目的も実際に合致しており、明確な合理的進歩であると言える。従って、法に基いて実用新案権申請を提出し、特許庁の審査により特許を賜りたく願う次第である。
【図面の簡単な説明】
【００２５】
【図１】本考案の立体概略図である。
【図２】本考案の分解概略図である。
【図３】本考案のチューブ装置とキャリーバーユニット及びキャスターユニットを連結して伸展させた際の側面概略図である。
【図４】本考案のチューブ装置とキャリーバーユニット及びキャスターユニットを接続して収納した後の立体概略図である。
【図５】本考案を応用した際の立体概略図である。
【図６】本考案の別途実施例の態様である。
【図７】本考案のゴルフクラブヘッドカバーの概略図である。
【符号の説明】
【００２６】
１０        チューブ装置
１１        上部リング
１１１      ホール
１２        下部リング
１２１      段差台座
１２２      突起ピン
１３        パイプ
１４        パネル
１４１      貫通孔
２０        バッグ本体
２１        開口部
２２        キャスター収納袋
２３        支持台座
２４        ロール
２５        固定用ブロック
２６        フード
２７        固定バンド
３０        キャリーバーユニット
３１        キャリーバー固定台座
３１１      ガイド孔
３２        キャリーバーパイプ
３３        キャリーバー
４０        キャスターユニット
４１        固定リング
４２        キャスターフレーム
４２１      キャスターシャフト
４３        キャスター
５０        ゴルフクラブヘッドカバー
５１        ヘッドカバー本体
【図１】
0003136933.tif 000003
【図２】
0003136933.tif 000004
【図３】
0003136933.tif 000005
【図４】
0003136933.tif 000006
【図５】
0003136933.tif 000007
【図６】
0003136933.tif 000008
【図７】
0003136933.tif 000009